(57)【要約】【課題】  余白を有効に使い、視認性の良いアイコンの表示方法を提案する【解決手段】  前記撮像素子に結像された画像を表示する第1のアスペクト比を備えた表示手段と、前記画像を異なる複数の第２のアスペクト比で前記表示装置に選択的に表示可能とするとともに前記表示装置に少なくとも一つの設定情報のアイコンを表示可能な撮像装置において、選択されている前記画像の第２のアスペクト比が前記表示装置の第１のアスペクト比と略一致している場合は前記画像と前記アイコンを重畳して表示し、選択されている前記画像のアスペクト比が前記表示装置の第１のアスペクト比と異なる場合はアスペクト比の違いにより生じる余白に前記アイコンを表示するとともに生じる余白の位置を前記アイコンの大きさにあわせて変更する。【選択図】  図２
2009105825.tif 000002
【特許請求の範囲】
【請求項１】
被写体を撮像素子に結像させるレンズを保持する鏡筒と、前記撮像素子に結像された画像を表示する第1のアスペクト比を備えた表示手段と、前記画像を異なる複数の第２のアスペクト比で前記表示装置に選択的に表示可能とするとともに前記表示装置に少なくとも一つの設定情報のアイコンを表示可能な撮像装置において、
選択されている前記画像の第２のアスペクト比が前記表示装置の第１のアスペクト比と一致している場合は前記画像と前記アイコンを重畳して表示し、選択されている前記画像のアスペクト比が前記表示装置の第１のアスペクト比と異なる場合はアスペクト比の違いにより生じる余白に前記アイコンを表示するとともに生じる余白の位置を前記アイコンの大きさにあわせて変更する事を特徴とする撮像装置。
【請求項２】
第２の前記画像のアスペクト比を選択時に選択されている第２の前記画像のアスペクト比が前記表示装置の第１のアスペクト比と異なる場合は、前記アイコンがアスペクト比の違いにより生じる余白と前記画像を表示する領域の境界に掛からないように余白の位置、アイコンの位置のいずれか乃至は両方を変更する事を特徴とする請求項１に記載の撮像装置。
【請求項３】
被写体を撮像素子に結像させるレンズを保持する鏡筒と、前記撮像素子に結像された画像を表示する第1のアスペクト比を備えた表示手段と、撮像装置の前記画像を異なる複数の第２のアスペクト比で前記表示装置に選択的に表示可能とするとともに前記表示装置に撮像装置の設定されている情報のアイコンをグループ分けし、グループ毎に配列し表示可能な撮像装置において、
選択されている前記画像の第２のアスペクト比が前記表示装置の第１のアスペクト比と一致している場合は全てのグループの前記アイコンを前記画像と重畳して表示し、選択されている前記画像のアスペクト比が前記表示装置の第１のアスペクト比と異なる場合はアスペクト比の違いにより生じる余白に配列するグループと前記画像に前記アイコンを重畳して表示するグループに前記アイコンを分類した事を特徴とする撮像装置。
【請求項４】
前記グループ毎に前記アイコンの大きさを、選択されている前記画像の第２のアスペクト比が前記表示装置の第１のアスペクト比と一致している場合と、選択されている前記画像のアスペクト比が前記表示装置の第１のアスペクト比と異なる場合で変える事を特徴とする請求項３に記載の撮像装置。
【請求項５】
前記撮像装置は階層的に異なる機能を設定可能な操作部材と前記操作部材の第一階層の操作により設定できる機能をアイコンとして外装に明示してあるとともに階層的に操作部材を操作する事で機能を設定し前記設定情報を前記表示装置にアイコンとして表示する事が可能であり、前記余白に表示するグループは外装に明示してある機能の設定情報のアイコンとする事を特徴とする請求項３又は請求項４に記載の撮像装置。
【請求項６】
前記撮像装置は前記アイコンの表示と非表示を選択可能であり、選択されている前記画像の第２のアスペクト比が前記表示装置の第１のアスペクト比と一致している場合に前記非表示が選択された場合は全ての前記アイコンを非表示とし、選択されている前記画像の前記のアスペクト比が前記表示装置の第１のアスペクト比と異なる場合に前記非表示が選択された場合は余白に配列されているグループは表示したままとし、前記画像に前記アイコンを重畳して表示するグループは非表示とする事を特徴とする請求項３〜請求項５のいずれかに記載の撮像装置。
【発明の詳細な説明】
【技術分野】
【０００１】
本発明は表示領域が１つのアスペクト比である表示装置を具備し、各種設定をアイコンとして画像とともに表示装置に表示可能であり、画像のアスペクト比を選択できる撮像装置に関する。
【背景技術】
【０００２】
近年、ワイドテレビと言われる従来の4：3のアスペクト比ではない16：9のアスペクト比の表示装置が普及してきている。それにともないデジタルカメラ等の撮像装置においても従来の4：3のアスペクト比で画像を生成するか、16：9のアスペクト比で画像を生成するかを選択できるようになってきた。撮像装置には従来の4：3のアスペクト比を有するＬＣＤ等の表示装置が備えられている場合が多い。このようなデジタルカメラにおいて4：3のアスペクト比の画像を同アスペクト比の表示装置に表示する際は画像の全てを余白なく表示装置に表示する事ができるが、16：9のアスペクト比の画像を表示する際には、全画像を表示すると上下に余白が生じる。逆に16：9のアスペクト比の表示装置を搭載した場合に4：3のアスペクト比の画像の全画像を表示した場合は左右に余白が生じる。また、撮像装置においてはストロボ発光／非発光、ＩＳＯ感度、撮影モード、連写／単写等々の撮影条件を設定できるようになっていて設定されている条件をユーザーが分かるようにアイコン化して、画像に重畳し、被写体の構図決めや画像確認の弊害にならないように表示装置の端に配列している。また、デジタルカメラの多機能化が進み、ユーザーの設定できる機能も複数ありそれにともないアイコンの数も増えてきている。
【０００３】
このような状況下でユーザーに設定されている複数の各種設定されている機能を誤認しないように設定情報を明示し、しかも画像を確認する妨げとならないように、設定情報のアイコンを表示装置のアスペクト比と画像のアスペクト比が同じ場合と異なる場合でアイコンの配置、余白の位置の最適化、余白を表示領域として有効に使う提案が必要になってくる。また、幅広い年齢のユーザー層に対応すべくアイコンの大きさをユーザーに合わせて変更可能としつつ、画像の確認の妨げにはならない表示方法が必要となっている。
【０００４】
アイコンの視認性を高める技術としてファインダ内の測距ポイント、輝度分布や注視点等の情報により画像のユーザーが重要と考えている領域以外にアイコンを表示する技術が開示されている。（特許文献１）
また、視認性を高めるために表示色を背景色に応じて変更する。更に表示装置のアスペクト比と画像のアスペクト比が異なる場合、その余白に表示するという技術が開示されている。（特許文献２）
【特許文献１】特開2001-75164号公報
【特許文献２】特開平10-319488号公報
【発明の開示】
【発明が解決しようとする課題】
【０００５】
しかしながら［特許文献１］においては、画像にアイコンを常に重畳し表示を行うので、表意装置と画像のアスペクト比の違いによって生じる余白の利用に関しては開示されていない。
【０００６】
また、［特許文献２］において余白にアイコンを表示する技術に関して開示されているが、アイコンが複数になった場合に如何にユーザーに誤認なく、アイコンを表示するかといった技術は開示されていない。本発明はこのような状況を鑑み、余白を有効に使い、視認性の良いアイコンの表示方法を提案する物である。
【課題を解決するための手段】
【０００７】
本発明に係る請求項１に記載の撮像装置は、被写体を撮像素子に結像させるレンズを保持する鏡筒と、前記撮像素子に結像された画像を表示する第1のアスペクト比を備えた表示手段と、前記画像を異なる複数の第２のアスペクト比で前記表示装置に選択的に表示可能とするとともに前記表示装置に少なくとも一つの設定情報のアイコンを表示可能な撮像装置において、選択されている前記画像の第２のアスペクト比が前記表示装置の第１のアスペクト比と略一致している場合は前記画像と前記アイコンを重畳して表示し、選択されている前記画像のアスペクト比が前記表示装置の第１のアスペクト比と異なる場合はアスペクト比の違いにより生じる余白に前記アイコンを表示するとともに生じる余白の位置を前記アイコンの大きさにあわせて変更する事を特徴とする。
【０００８】
本発明に係る請求項２に記載の撮像装置は、第２の前記画像のアスペクト比を選択時に選択されている第２の前記画像のアスペクト比が前記表示装置の第１のアスペクト比と異なる場合は、前記アイコンがアスペクト比の違いにより生じる余白と前記画像を表示する領域の境界に掛からないように余白の位置、アイコンの位置のいずれか乃至は両方を変更する事を特徴とする。
【０００９】
本発明に係る請求項３に記載の撮像装置は、被写体を撮像素子に結像させるレンズを保持する鏡筒と、前記撮像素子に結像された画像を表示する第1のアスペクト比を備えた表示手段と、撮像装置の前記画像を異なる複数の第２のアスペクト比で前記表示装置に選択的に表示可能とするとともに前記表示装置に撮像装置の設定されている情報のアイコンをグループ分けし、グループ毎に配列し表示可能な撮像装置において、選択されている前記画像の第２のアスペクト比が前記表示装置の第１のアスペクト比と略一致している場合は全てのグループの前記アイコンを前記画像と重畳して表示し、選択されている前記画像のアスペクト比が前記表示装置の第１のアスペクト比と異なる場合はアスペクト比の違いにより生じる余白に配列するグループと前記画像に前記アイコンを重畳して表示するグループに前記アイコンを分類した事を特徴とする。
【００１０】
本発明に係る請求項４に記載の撮像装置は、前記グループ毎に前記アイコンの大きさを、選択されている前記画像の第２のアスペクト比が前記表示装置の第１のアスペクト比と略一致している場合と、選択されている前記画像のアスペクト比が前記表示装置の第１のアスペクト比と異なる場合で変える事を特徴とする。
【００１１】
本発明に係る請求項５に記載の撮像装置は、前記撮像装置は階層的に異なる機能を設定可能な操作部材と前記操作部材の第一階層の操作により設定できる機能をアイコンとして外装に明示してあるとともに階層的に操作部材を操作する事で機能を設定し前記設定情報を前記表示装置にアイコンとして表示する事が可能であり、前記余白に表示するグループは外装に明示してある機能の設定情報のアイコンとする事を特徴とする。
【００１２】
本発明に係る請求項６に記載の撮像装置は、前記撮像装置は前記アイコンの表示と非表示を選択可能であり、選択されている前記画像の第２のアスペクト比が前記表示装置の第１のアスペクト比と略一致している場合に前記非表示が選択された場合は全ての前記アイコンを非表示とし、選択されている前記画像の前記のアスペクト比が前記表示装置の第１のアスペクト比と異なる場合に前記非表示が選択された場合は余白に配列されているグループは表示したままとし、前記画像に前記アイコンを重畳して表示するグループは非表示とする事を特徴とする。
【発明の効果】
【００１３】
本発明に係る請求項１に記載の撮像装置は、被写体を撮像素子に結像させるレンズを保持する鏡筒と、前記撮像素子に結像された画像を表示する第1のアスペクト比を備えた表示手段と、前記画像を異なる複数の第２のアスペクト比で前記表示装置に選択的に表示可能とするとともに前記表示装置に少なくとも一つの設定情報のアイコンを表示可能な撮像装置において、選択されている前記画像の第２のアスペクト比が前記表示装置の第１のアスペクト比と略一致している場合は前記画像と前記アイコンを重畳して表示し、選択されている前記画像のアスペクト比が前記表示装置の第１のアスペクト比と異なる場合はアスペクト比の違いにより生じる余白に前記アイコンを表示するとともに生じる余白の位置を前記アイコンの大きさにあわせて変更する事でユーザーに違和感のない余白位置とする事ができると供にアイコンの視認性を高める事ができる。
【００１４】
本発明に係る請求項２に記載の撮像装置は、第２の前記画像のアスペクト比を選択時に選択されている第２の前記画像のアスペクト比が前記表示装置の第１のアスペクト比と異なる場合は、前記アイコンがアスペクト比の違いにより生じる余白と前記画像を表示する領域の境界に掛からないように余白の位置、アイコンの位置のいずれか乃至は両方を変更する事で余白と画像表示領域でできる境界線上にアイコンが位置しないので視認性を更に高める事ができる。
【００１５】
本発明に係る請求項３に記載の撮像装置は、被写体を撮像素子に結像させるレンズを保持する鏡筒と、前記撮像素子に結像された画像を表示する第1のアスペクト比を備えた表示手段と、撮像装置の前記画像を異なる複数の第２のアスペクト比で前記表示装置に選択的に表示可能とするとともに前記表示装置に撮像装置の設定されている情報のアイコンをグループ分けし、グループ毎に配列し表示可能な撮像装置において、選択されている前記画像の第２のアスペクト比が前記表示装置の第１のアスペクト比と略一致している場合は全てのグループの前記アイコンを前記画像と重畳して表示し、選択されている前記画像のアスペクト比が前記表示装置の第１のアスペクト比と異なる場合はアスペクト比の違いにより生じる余白に配列するグループと前記画像に前記アイコンを重畳して表示するグループに前記アイコンを分類した事で、複数のアイコンを余白に表示しきれなくなった場合に、より視認性を必要とするアイコンを余白に配列するグループとし、若干視認性が落ちても良いアイコンを画像に重畳して配列するグループに分類して表示した事でアイコンの視認性と画像の視認性を両立できる。
【００１６】
本発明に係る請求項４に記載の撮像装置は、前記グループ毎に前記アイコンの大きさを、選択されている前記画像の第２のアスペクト比が前記表示装置の第１のアスペクト比と略一致している場合と、選択されている前記画像のアスペクト比が前記表示装置の第１のアスペクト比と異なる場合で変える事で、余白に表示するグループは余白最大までアイコンを大きくする事ができ、余白に配列したアイコンの視認性を高める事ができる。
【００１７】
本発明に係る請求項５に記載の撮像装置は、前記撮像装置は階層的に異なる機能を設定可能な操作部材と前記操作部材の第一階層の操作により設定できる機能をアイコンとして外装に明示してあるとともに階層的に操作部材を操作する事で機能を設定し前記設定情報を前記表示装置にアイコンとして表示する事が可能であり、前記余白に表示するグループは外装に明示してある機能の設定情報のアイコンとする事で設定変更頻度が高いあるいは撮影の失敗につながる等の理由で外装に設定項目が明示してある機能を余白に配列するグループとする事でユーザーに自分の設定している機能を容易に認識できるようにする。
【００１８】
本発明に係る請求項６に記載の撮像装置は、前記撮像装置は前記アイコンの表示と非表示を選択可能であり、選択されている前記画像の第２のアスペクト比が前記表示装置の第１のアスペクト比と略一致している場合に前記非表示が選択された場合は全ての前記アイコンを非表示とし、選択されている前記画像の第２のアスペクト比が前記表示装置の第１のアスペクト比と異なる場合に前記非表示が選択された場合は余白に配列されているグループは表示したままとし、前記画像に前記アイコンを重畳して表示するグループは非表示とする事で、選択されている前記画像の第２のアスペクト比が前記表示装置の第１のアスペクト比と略一致している場合には画像の確認に煩わしいと非表示を選択したユーザーも、選択されている前記画像のアスペクト比が前記表示装置の第１のアスペクト比と異なる場合に生じる余白に表示されているアイコンは画像に重畳していないので非表示とされないので重要な設定項目を確認できるようになる。
【発明を実施するための最良の形態】
【００１９】
次に、本発明の詳細を実施例の記述に従って説明する。
【実施例１】
【００２０】
図１に本実施例を適用した撮像装置を示す。本実施例においてはカメラで本発明の説明を行う。図において１はカメラを覆うカバー、２はストロボ発光部、３はファインダ、４はディスプレイであり4：3のアスペクト比の表示領域を有している。５は撮影レンズ等を保持する鏡筒、６は再生／動画／静止画モードを切り替えるＳＷでありカバー１にどの位置が再生／動画／静止画であるかを明示的にあらわすためにモードをアイコン化して印刷されている（アイコンＡ）。７は押すたびに情報表示の表示／非表示を切り替えるＤＩＳＰボタン、８は上下左右を押す事でカメラの各種設定が行える十字ボタンであり、ユーザーが設定を頻繁に変える機能として十字ボタン８の上下左右に以下の４つの機能が第１階層として割りあてられている。上を押すと中央重点測光/評価測光の切り替えが行える（アイコンＢ）。左を押すとマクロ／遠景／通常の測距モードの切り替えが行える（アイコンＣ）。下を押すと連写／セルフタイマー／単写モードの切り替えが行える（アイコンＥ）。また、右を押すとストロボ強制発光／発光禁止／自動モードの切り替えが行える（アイコンＤ）。カバー１には、十字ボタンに割り振られている第一階層の機能をユーザーに認識できるように、十字ボタンの左右上下を押すと、どのモードが切り替わるかを明示的にあらわすためにモードをアイコン化してカバー1に印刷または刻印されている。９は十字キー８の上下左右を押した際に前記の表示されている設定機能より変更の頻度の低い機能を設定するために第２階層に入って撮影機能の設定ができるようにするＦＵＮＣボタンである。ここで設定できる機能は外装には表示されておらず、ＦＵＮＣボタン９を押す事でディスプレイ４に機能と十字ボタンの８の対応が表示される。本実施例においては第２階層で設定できる機能としてはＩＳＯ感度の設定、画像サイズＬ（最大サイズ）／Ｍ1（中間サイズ１）／Ｍ2（中間サイズ２）／Ｓ（最小サイズ）の切り替え、フォーカス位置をロックするＡＦロック実行／非実行の設定を行う例で示している。１０は十字ボタン８の上下左右を押した際に第２階層に入ってカメラの設定を行えるようにするＭＥＮＵボタンである。ＭＥＮＵボタン１０によって第２階層で設定できる条件としては、撮影される画像のアスペクト比（１６:９／４:３）、１６:９を選択された際に表示する余白位置（上下均等／下よせ／上よせ）、アイコンの大きさ（大／小）、日付等が設定できる。画像のアスペクト比、余白位置、アイコンの大きさが設定されると、その設定に応じてディスプレイ４に表示する。
【００２１】
次に図２・図３を用い実施例記載のカメラにおいて、アイコンの表示に関して説明する。
【００２２】
図２において、画像アスペクト4：3、設定情報表示ＯＮ、アイコンの大きさ小の初期状態を図２−１に示す。さらに、図２−１においては、頻繁に設定を変更する機能グループであり、外装にアイコンとして表示されているアイコンＡ〜Ｄは被写体の確認の妨げにならないように画面上部横方向に配列されている。ＦＵＮＣボタン９で階層的に選択された変更頻度の低い撮影条件はＩＳＯ感度（２００の例）、画像サイズＭ２、ＡＦロック実行（ＡＦＬ）が設定されている状態を表している。これらのＦＵＮＣボタン９で階層的に設定する機能グループは同様に被写体確認の妨げにならないように画面右端に画像に重畳され縦方向に配列されている。
【００２３】
次にユーザーはＭＥＮＵボタン１０を押し、第２階層で十字ボタン９により１６:９のアスペクト比で撮影する及び余白は上下均等が設定され、更にＤＩＳＰボタン７を押し情報表示の非表示を選択された際の表示例が図２−２である。この状態で、ＤＩＳＰボタン７を押し情報表示の表示が選択された際の表示状態が図２−３である。この状態は被写体が撮影するアスペクト比が変更されても大きくは動かないのでアスペクト比変更時の違和感はない表示となっている。しかし、余白と画像表示領域の境界がアイコンと重なり、アイコンの視認性が下がっている。ユーザーはアイコンの視認性を高めたい場合はＭＥＮＵボタン１０により余白は上よせを選択する。このときの表示状態を図２−４に示す。このように頻繁に設定を変更するグループ（アイコンＡ〜Ｄ）のアイコンの大きさに合わせて、さらに余白との境界に掛からないように、余白を下よせとする事で設定されている機能の誤認がなくなる。また、縦方向に配列されているアイコンも境界にアイコンが掛からないようにアイコンを若干上にあげ、設定頻度の低いアイコンの視認性も上げている。
【００２４】
次に図３を使いアイコンの大きさの設定を変更した場合と情報表示アイコン非表示にした場合のアイコンの表示を説明する。図３−１は図２−１と同じ状態でアイコンは小を選択されている。この状態でアイコン大を選択した場合は図３−２に示すように一律、アイコンが大きくなる。この場合のアイコンの大きさは主被写体にアイコンが重なってしまうのを可能な限り避けるための大きさまでしか大きくできなかった。更にユーザーはＭＥＮＵボタン１０を押し、第２階層で十字ボタン９により１６:９のアスペクト比で撮影するを選択した場合は、同じアイコン大が設定されていても、余白に配列されているグループのアイコンは余白からはみ出さない範囲で最大になるようにアイコンを更に大きくする。また、画像に重畳しているグループのアイコンは4：3のアスペクト比の画像が選択されている場合のアイコン大のアイコンの大きさと変わらない。これにより、余白に配列されているグループのアイコンを余白最大に大きくする事で画像確認の妨げなく、しかも、アイコンの視認性を上げているのでカメラの誤操作を防止する事ができる。
【００２５】
次に、情報表示アイコン非表示にした場合のアイコンの表示を説明する。
【００２６】
ユーザーは情報表示のアイコンが主被写体が画面一杯にある等、或いはフレーミングの妨げになっていると感じた場合はＤＩＳＰボタン７を押し情報表示を非表示を切り替える。図３−２の状態で情報アイコン非表示を選択した場合は、図３−４のようにアイコンは非表示とする。図３−３のように画像表示を１６:９のアウペクト比を選択された場合では、画像に重畳しているアイコングループは非表示とするが、余白にあるアイコンのグループは表示したままとする。これにより設定を良く変えて設定を忘れやすい物は表示されているので、フレーミングの妨げになる事なくカメラをユーザーの意図通りに操作できる。
【００２７】
なお、本発明のデジタルカメラにおいては、4：3のアスペクト比のディスプレイの実施例で説明したが１６:９のアスペクト比を有するディスプレイにおいては、鏡筒５で取り込まれた画像のアスペクト比が４:３の場合に画像を全て表示すると余白が左右にできるが、その場合も本発明の趣旨から外れる物ではない。
【図面の簡単な説明】
【００２８】
【図１】本発明の実施例のカメラ。
【図２】本発明の実施例のアイコンの表示方法を示す図。
【図３】本発明の実施例のアイコンの表示方法を示す図。
【符号の説明】
【００２９】
１  カバー
２  ストロボ発光部
３  ファインダ
４  ディスプレイ
５  鏡筒
６  モード切替スイッチ
７  ＤＩＳＰボタン
８  十字ボタン
９  ＦＵＮＣボタン
１０  ＭＥＮＵボタン
【図１】
2009105825.tif 000003
【図２】
2009105825.tif 000004
【図３】
2009105825.tif 000005